(57)【要約】【課題】経過した月を記載した葉をそのままブックカバーとして使用する壁掛けカレンダーを提供すること。【解決手段】月の日付の一群Ｃが、葉１２０の横幅方向に複数配列され、葉の丈方向に延びた丈方向切り取り線１３０が、横幅方向で隣り合う月の日付の一群の相互間に配設されているとともに、横幅方向に延びた横幅方向切り取り線１４０が、葉の各月の日付の一群より上側部位に配設され、葉の下側部位が上方へ折り返されて、各月の日付の一群の横幅方向両側でそれぞれ係止されてポケット（１２１ａ…）が形成され、ポケット（１２１ａ…）の底縁から横幅方向切り取り線までの距離が、所定サイズの本の表表紙の前小口側端から背を介して裏表紙の前小口側端までの距離より長く設けられ、ポケット（１２１ａ…）が、所定サイズの本の表表紙または裏表紙の少なくとも前小口側端を収容自在に設けられていることを特徴とする壁掛けカレンダー１００。【選択図】図１
2015116727.tif 000002
【特許請求の範囲】
【請求項１】
月の日付の一群を記載した１枚または複数枚綴りの葉の上部を吊下げる形式の壁掛けカレンダーにおいて、
前記月の日付の一群が、前記葉の横幅方向に複数配列され、
前記葉の丈方向に延びた丈方向切り取り線が、前記横幅方向で隣り合う月の日付の一群の相互間に配設されているとともに、前記横幅方向に延びた横幅方向切り取り線が、前記葉の各月の日付の一群より上側部位に配設され、
前記葉の下側部位が、該葉の月の日付の一群を記載したカレンダー面側で上方へ折り返され、該折り返された折り返し部分が、前記月の日付の一群の横幅方向両側でそれぞれ係止されてポケットを形成し、
該ポケットの底縁から横幅方向切り取り線までの距離が、所定サイズの本の表表紙の前小口側端から背を介して裏表紙の前小口側端までの距離より長く設けられているとともに、前記ポケットが、前記所定サイズの本の表表紙または裏表紙の少なくとも前小口側端を収容自在に設けられていることを特徴とする壁掛けカレンダー。
【請求項２】
前記葉が、不織布で形成されていることを特徴とする請求項１に記載の壁掛けカレンダー。
【請求項３】
前記カレンダー面と反対側の面に表示する絵または図形が、前記カレンダー面から透視状態で印刷されていることを特徴とする請求項２に記載の壁掛けカレンダー。
【請求項４】
前記ポケットの横幅方向両側が、縫製固定されていることを特徴とする請求項２または請求項３に記載の壁掛けカレンダー。
【発明の詳細な説明】
【技術分野】
【０００１】
本発明は、月の日付の一群を記載した１枚または複数枚綴りの葉の上部を吊下げる形式の壁掛けカレンダーに関する。
【背景技術】
【０００２】
従来、月の日付の一群を記載した複数枚綴りの葉の上部を吊下げる形式の壁掛けカレンダーが知られている。
従来の壁掛けカレンダーは、その月が終われば、その月を記載した葉をユーザーがめくって次の月を記載した葉が表われるようにしていた。
【先行技術文献】
【特許文献】
【０００３】
【特許文献１】特開２００９−００６６７０号公報
【発明の概要】
【発明が解決しようとする課題】
【０００４】
しかしながら、上述した従来の壁掛けカレンダーは、経過した月を記載した葉がめくられて最背面に送られて次の月を記載した葉が表われる構造または経過した月を記載した葉が切り取られて次の月を記載した葉が表われる構造であったため、それで役目が終了して廃棄されるだけで資源の無駄であるという問題があった。
【０００５】
そこで、本発明は、前述したような従来技術の問題を解決するものであって、すなわち、本発明の目的は、経過した月を記載した葉をそのままブックカバーとして使用する壁掛けカレンダーを提供することである。
【課題を解決するための手段】
【０００６】
本請求項１に係る発明は、月の日付の一群を記載した１枚または複数枚綴りの葉の上部を吊下げる形式の壁掛けカレンダーにおいて、前記月の日付の一群が、前記葉の横幅方向に複数配列され、前記葉の丈方向に延びた丈方向切り取り線が、前記横幅方向で隣り合う月の日付の一群の相互間に配設されているとともに、前記横幅方向に延びた横幅方向切り取り線が、前記葉の各月の日付の一群より上側部位に配設され、前記葉の下側部位が、該葉の月の日付の一群を記載したカレンダー面側で上方へ折り返され、該折り返された折り返し部分が、前記月の日付の一群の横幅方向両側でそれぞれ係止されてポケットを形成し、該ポケットの底縁から横幅方向切り取り線までの距離が、所定サイズの本の表表紙の前小口側端から背を介して裏表紙の前小口側端までの距離より長く設けられているとともに、前記ポケットが、前記所定サイズの本の表表紙または裏表紙の少なくとも前小口側端を収容自在に設けられていることにより、前述した課題を解決するものである。
【０００７】
本請求項２に係る発明は、請求項１に記載された壁掛けカレンダーの構成に加えて、前記葉が、不織布で形成されていることにより、前述した課題をさらに解決するものである。
【０００８】
本請求項３に係る発明は、請求項２に記載された壁掛けカレンダーの構成に加えて、前記カレンダー面と反対側の面に表示する絵または図形が、前記カレンダー面から透視状態で印刷されていることにより、前述した課題をさらに解決するものである。
【０００９】
本請求項４に係る発明は、請求項２または請求項３に記載された壁掛けカレンダーの構成に加えて、前記ポケットの横幅方向両側が、縫製固定されていることにより、前述した課題をさらに解決するものである。
【発明の効果】
【００１０】
本発明の壁掛けカレンダーは、月の日付の一群を記載した１枚または複数枚綴りの葉の上部を吊下げる形式で壁に掛け止めされることにより、日付を表示することができるばかりでなく、以下のような特有の効果を奏することができる。
【００１１】
本請求項１に係る発明の壁掛けカレンダーによれば、月の日付の一群が、葉の横幅方向に複数配列され、葉の丈方向に延びた丈方向切り取り線が、横幅方向で隣り合う月の日付の一群の相互間に配設されているとともに、横幅方向に延びた横幅方向切り取り線が、葉の各月の日付の一群より上側部位に配設され、葉の下側部位が、この葉の月の日付の一群を記載したカレンダー面側で上方へ折り返され、この折り返された折り返し部分が、月の日付の一群の横幅方向両側でそれぞれ係止されてポケットを形成し、このポケットの底縁から横幅方向切り取り線までの距離が、所定サイズの本の表表紙の前小口側端から背を介して裏表紙の前小口側端までの距離より長く設けられているとともに、ポケットが、所定サイズの本の表表紙または裏表紙の少なくとも前小口側端を収容自在に設けられていることにより、その月が終われば、葉のうちのその月の日付の一群を切り取り線に沿って切り取り、所定の本の表表紙または裏表紙の一方の少なくとも前小口側端をポケットに入れて、表表紙または裏表紙の他方で、切り取ったカレンダーを折り返すと所定の本の表紙が覆われるため、ブックカバーとして使用することができる。
つまり、過ぎた月のカレンダーの葉を捨てることなく、新たな用途としてブックカバーとして利用することができる。
【００１２】
さらに、表表紙または裏表紙の一方側がポケットに入って本とブックカバー（切り取ったカレンダーの葉）とが本の天地方向で相対的に位置決めされるため、ブックカバーが本からずり落ちることを防止することができる。
なお、ポケットは、カレンダーのとき、小物入れとして使用することができる。
【００１３】
本請求項２に係る発明の壁掛けカレンダーによれば、請求項１に係る発明が奏する効果に加えて、葉が、不織布で形成されていることにより、不織布は普通紙と比べて丈夫であるため、普通紙のカレンダーと比べて破れにくくすることができる。
さらに、不織布は普通紙と比べて手との関係で滑りにくいため、ブックカバーにしたときにすべりにくくして読書中の本の落下を防止することができる。
【００１４】
本請求項３に係る発明の壁掛けカレンダーによれば、請求項２に係る発明が奏する効果に加えて、カレンダー面と反対側の面に表示する絵または図形が、カレンダー面から透視状態で印刷されていることにより、ブックカバーとしたときにカバー外側面に絵または図形が位置するため、デザイン性を高めることができる。
また、カレンダーのとき、不織布により絵または図形が透けて見え、カレンダーの日付の背景となるため、デザイン性を高めることができる。
【００１５】
本請求項４に係る発明の壁掛けカレンダーによれば、請求項２または請求項３に係る発明が奏する効果に加えて、ポケットの横幅方向両側が、縫製固定されていることにより、不織布を糸で縫ったことで強固な係止となり、両側が丈夫なポケットを形成することできる。
【図面の簡単な説明】
【００１６】
【図１】本発明の第１実施例の壁掛けカレンダーを示す斜視図。
【図２】（Ａ）〜（Ｃ）は本発明の第１実施例の壁掛けカレンダーを示す正面図、側断面図および１枚目の葉の裏面を示す図。
【図３】本発明の第１実施例の壁掛けカレンダーで１枚目の葉の１月の日付の一群である１月カレンダーをめくって切り取っている様子を示す斜視図。
【図４】本発明の第１実施例の壁掛けカレンダーの１月カレンダーのポケットに所定サイズの本の裏表紙の前小口側の一部を入れた様子を示す斜視図。
【図５】本発明の第１実施例の壁掛けカレンダーの１月カレンダーの上側を所定サイズの本の表表紙の前小口側で折り返している様子を示す斜視図。
【図６】本発明の第２実施例の壁掛けカレンダーを示す斜視図。
【発明を実施するための形態】
【００１７】
本発明は、月の日付の一群を記載した１枚または複数枚綴りの葉の上部を吊下げる形式の壁掛けカレンダーにおいて、月の日付の一群が、葉の横幅方向に複数配列され、葉の丈方向に延びた丈方向切り取り線が、横幅方向で隣り合う月の日付の一群の相互間に配設されているとともに、横幅方向に延びた横幅方向切り取り線が、葉の各月の日付の一群より上側部位に配設され、葉の下側部位が、この葉の月の日付の一群を記載したカレンダー面側で上方へ折り返され、この折り返された折り返し部分が、月の日付の一群の横幅方向両側でそれぞれ係止されてポケットを形成し、このポケットの底縁から横幅方向切り取り線までの距離が、所定サイズの本の表表紙の前小口側端から背を介して裏表紙の前小口側端までの距離より長く設けられているとともに、ポケットが、所定サイズの本の表表紙または裏表紙の少なくとも前小口側端を収容自在に設けられていることにより、切り取ったカレンダーをブックカバーとして使用してブックカバーが本からずり落ちることを防止するものであれば、その具体的な実施態様は、如何なるものであっても構わない。
【００１８】
例えば、材質は、紙でもよく不織布でもよい。
また、ポケットを形成する際の係止の方法は、ボンドなどの接着剤による接着、圧着、溶着や糸による縫合などポケットの幅方向両側をとめるものであれば如何なるものであっても構わない。
【実施例１】
【００１９】
以下に、本発明の第１実施例である壁掛けカレンダー１００について、図１乃至図５に基づいて説明する。
ここで、図１は、本発明の第１実施例の壁掛けカレンダー１００を示す斜視図であり、図２（Ａ）は、図１に示す符号２Ａから視た正面図であり、図２（Ｂ）は、図２（Ａ）に示す符号２Ｂ−２Ｂで視た側断面図であり、図２（Ｃ）は、図２（Ａ）に示す１枚目の葉１２０Ａの裏側を示す図であり、図３は、本発明の第１実施例の壁掛けカレンダー１００で１枚目の葉１２０Ａの１月の日付の一群である１月カレンダー１２１をめくって切り取っている様子を示す斜視図であり、図４は、本発明の第１実施例の壁掛けカレンダー１００の１月カレンダー１２１のポケットに所定サイズの本Ｂの裏表紙Ｂ２の前小口側の一部を入れた様子を示す斜視図であり、図５は、本発明の第１実施例の壁掛けカレンダー１００の１月カレンダー１２１の上側を所定サイズの本Ｂの表表紙Ｂ１の前小口側で折り返している様子を示す斜視図である。
【００２０】
本発明の第１実施例である壁掛けカレンダー１００は、図１乃至図３に示すように、月の日付の一群Ｃを記載した複数枚綴りのシートである葉１２０の上部であるハンガー部１１０を吊下げる形式で壁に掛け止めされるように構成されている。
さらに、月の日付の一群Ｃが、葉１２０の横幅方向に複数配列されている。
具体的に、本実施例では、１枚目の葉１２０Ａが、１月の日付の一群である１月カレンダー１２１、２月の日付の一群である２月カレンダー１２２および３月の日付の一群である３月カレンダー１２３から構成されている。
同様に、２枚目の葉１２０Ｂが、４月の日付の一群である４月カレンダー１２４、５月の日付の一群である５月カレンダーおよび６月の日付の一群である６月カレンダーから構成されている。
【００２１】
そして、３枚目の葉（１２０）が、７月、８月、９月のカレンダーから構成され、４枚目の葉（１２０）が、１０月、１１月、１２月のカレンダーから構成されている。
それぞれの葉１２０は、ハンガー部１１０から吊下げられている。
ハンガー部１１０は、内部に一例として横幅方向に長尺な厚紙１１１を有し、厚紙１１１は、葉１２０の上側の一部によってくるまれた状態でハンガー縫い目１１２の糸によって係止されている。
【００２２】
また、葉１２０の丈方向に延びたミシン目状の丈方向切り取り線１３０が、横幅方向で隣り合う月の日付の一群Ｃの相互間に配設されている。
具体的には、１枚目の葉１２０Ａでは、１月カレンダー１２１と２月カレンダー１２２との間、２月カレンダー１２２と３月カレンダー１２３との間に丈方向切り取り線１３０が、丈方向に延設されている。
さらに、横幅方向に延びたミシン目状の横幅方向切り取り線１４０が、葉１２０の各月の日付の一群Ｃより上側部位に配設されている。
具体的には、１枚目の葉１２０Ａでは、１月カレンダー１２１〜３月カレンダー１２３とハンガー部１１０との間に横幅方向切り取り線１４０が、横幅方向に延設されている。
【００２３】
そして、葉１２０の下側部位が、この葉１２０の月の日付の一群Ｃを記載したカレンダー面側で上方へ折り返され、この折り返された折り返し部分が、各月の日付の一群Ｃの横幅方向両側でそれぞれ係止されてポケットを形成している。
具体的には、１枚目の葉１２０Ａでは、折り返し部分が、１月カレンダー１２１〜３月カレンダー１２３のそれぞれの横幅方向両側で係止されて１月のポケット１２１ａ、２月のポケット１２２ａおよび３月のポケット１２３ａを形成している。
１月のポケット１２１ａ、２月のポケット１２２ａおよび３月のポケット１２３ａは、小物入れとして使用することができる。
【００２４】
また、１月のポケット１２１ａ、２月のポケット１２２ａおよび３月のポケット１２３ａの底縁から横幅方向切り取り線１４０までの距離Ｄ１が、例えば、文庫本などの所定サイズの本Ｂの表表紙Ｂ１の前小口側端から背を介して裏表紙Ｂ２の前小口側端まの距離Ｄ２より長く設けられている（図４参照）。
さらに、１月のポケット１２１ａ、２月のポケット１２２ａおよび３月のポケット１２３ａが、所定サイズの本Ｂの表表紙Ｂ１または裏表紙Ｂ２の少なくとも前小口側端を収容自在に設けられている。
【００２５】
これにより、例えば２０１４年１月が終われば、図３に示すように、１枚目の葉１２０Ａのうちの１月カレンダー１２１を丈方向切り取り線１３０および横幅方向切り取り線１４０に沿って切り取り、図４に示すように、所定の本Ｂの表表紙Ｂ１または裏表紙Ｂ２の一方である裏表紙Ｂ２の少なくとも前小口側端を１月のポケット１２１ａに入れて、図５に示すように、表表紙Ｂ１または裏表紙Ｂ２の他方である表表紙Ｂ１で、切り取った１月カレンダー１２１を折り返すと所定の本Ｂの表紙が覆われる。
つまり、過ぎた月のカレンダーの葉１２０を捨てることなく、新たな用途としてブックカバーとして利用することができる。
さらに、表表紙Ｂ１または裏表紙Ｂ２の一方側が１月のポケット１２１ａに入って本Ｂとブックカバー（切り取った１月カレンダー１２１）とが本Ｂの天地方向で相対的に位置決めされる。
つまり、ブックカバー（切り取った１月カレンダー１２１）が本Ｂからずり落ちることを防止する。
【００２６】
また、本実施例では、カレンダーの葉１２０が、不織布で形成されている。
これにより、切り取った１月カレンダー１２１をブックカバーとして利用しているとき、カレンダーが普通紙で形成されている場合と比べて丈夫になる。
さらに、カレンダーが普通紙で形成されている場合と比べて手にしたとき滑りにくくなる。
また、カレンダーが普通紙で形成されている場合と比べて肌触りもよい。
さらに、カレンダーが普通紙で形成されている場合と比べて本Ｂの表表紙Ｂ１および裏表紙Ｂ２に傷が付きにくくなる。
【００２７】
また、本実施例では、図２（Ｃ）に示すように、カレンダー面と反対側の面に表示する絵Ｐ２が、カレンダー面から透視状態で印刷されている。
これにより、切り取った１月カレンダー１２１をブックカバーとしたときにカバー外側面に絵Ｐ２が位置する。
また、図１および図２（Ａ）に示すように、カレンダーのとき、不織布により絵Ｐ２が透けて見え、カレンダーの日付の背景となる。
つまり、デザイン性が高まる。
【００２８】
なお、本実施例のカレンダー面と反対側の面の絵Ｐ２は、１月カレンダー１２１〜３月カレンダー１２３の範囲にまたがって描かれている。
１月カレンダー１２１〜３月カレンダー１２３を切り取ってブックカバーとしたとき、各本Ｂを平置きで本Ｂの天地方向に並べると絵Ｐ２が繋がって見え、デザイン性が高まる。
カレンダー面と反対側の面の絵Ｐ２は、コミック、キャラクター、空などの風景写真、テキスタイル模様、動物やアイドル写真など様々なコンテンツで展開することができる。
また、１月のポケット１２１ａ、２月のポケット１２２ａ……にも絵Ｐ１が描かれている。
本実施例では、１月のポケット１２１ａ〜３月のポケット１２３ａの範囲にまたがって絵Ｐ１が描かれている。
【００２９】
図３に示すように、１月カレンダー１２１をめくって切り取ったとき、４月カレンダー１２４が表われるが、２枚目の葉１２０Ｂの４月カレンダー１２４面と反対側の面の絵（図示せず）と、１枚目の葉１２０Ａの２月カレンダー１２２面と反対側の面の絵Ｐ２との組み合わせ、例えば、向き合うカップルやことば遊びなどで楽しめるようにしてもよい。
つまり、１月カレンダー１２１をめくったときに透けて見える背景の絵の組み合わせが変わるようにして楽しめるようにしてもよい。
同様に、４月のポケット１２４ａの絵Ｐ１’と、２月のポケット１２２ａの絵Ｐ１との組み合わせで楽しめるようにしてもよい。
【００３０】
また、カレンダー面の日付や曜日と、カレンダー面と反対側の面の絵Ｐ２とのバリエーションで表裏のデザインの組み合わせで楽しめるようにしてもよい。
例えば、カレンダー面の日付の数字の背面の円が、カレンダー面と反対側の面（ブックカバー外側面）から視たときに透けて見える水玉模様となるようにしてもよい。
同様に、カレンダー面と反対側の面（ブックカバー外側面）に印刷した水玉模様が、カレンダー面から視たときに透けて見えるカレンダー面の曜日の背面の円となるようにしてもよい。
【００３１】
さらに、本実施例では、ポケット（１２１ａ…）の横幅方向両側が、ポケット縫い目Ｓの箇所で縫製固定されている。
これにより、不織布を糸で縫ったことで強固な係止となる。
【００３２】
このようにして得られた本発明の第１実施例である壁掛けカレンダー１００は、月の日付の一群Ｃが、葉１２０の横幅方向に複数配列され、葉１２０の丈方向に延びた丈方向切り取り線１３０が、横幅方向で隣り合う月の日付の一群Ｃの相互間に配設されているとともに、横幅方向に延びた横幅方向切り取り線１４０が、葉１２０の各月の日付の一群Ｃより上側部位に配設され、葉１２０の下側部位が、この葉１２０の月の日付の一群Ｃを記載したカレンダー面側で上方へ折り返され、この折り返された折り返し部分が、各月の日付の一群Ｃの横幅方向両側でそれぞれ係止されてポケット（１２１ａ…）を形成し、このポケット（１２１ａ…）の底縁から横幅方向切り取り線１４０までの距離Ｄ１が、所定サイズの本Ｂの表表紙Ｂ１の前小口側端から背を介して裏表紙Ｂ２の前小口側端までの距離Ｄ２より長く設けられているとともに、ポケット（１２１ａ…）が、所定サイズの本Ｂの表表紙Ｂ１または裏表紙Ｂ２の少なくとも前小口側端を収容自在に設けられていることにより、過ぎた月のカレンダーの葉１２０を捨てることなく、新たな用途としてブックカバーとして利用することができ、ブックカバーが本Ｂからずり落ちることを防止することができる。
【００３３】
さらに、カレンダーの葉１２０が、不織布で形成されていることにより、普通紙のカレンダーと比べて破れにくくすることができ、ブックカバーにしたときにすべりにくくして読書中の本Ｂの落下を防止することができる。
また、カレンダー面と反対側の面に表示する絵Ｐ２または図形が、カレンダー面から透視状態で印刷されていることにより、デザイン性を高めることができる。
【００３４】
また、ポケット（１２１ａ…）の横幅方向両側が、縫製固定されていることにより、両側が丈夫なポケットを形成することできるなど、その効果は甚大である。
【実施例２】
【００３５】
続いて、本発明の第２実施例である壁掛けカレンダー２００について、図６に基づいて説明する。
ここで、図６は、本発明の第２実施例の壁掛けカレンダー２００を示す斜視図である。
第２実施例の壁掛けカレンダー２００は、第１実施例の壁掛けカレンダー１００の葉１２０の枚数を４枚から６枚に増やすとともに葉１枚当たりに表示する月の日付の一群Ｃを３つから２つに減らしたものであり、多くの要素について第１実施例の壁掛けカレンダー１００と共通するので、共通する事項については詳しい説明を省略し、下２桁が共通する２００番台の符号を付すのみとする。
【００３６】
本発明の第２実施例である壁掛けカレンダー２００では、図６に示すように、１枚目の葉２２０Ａが、１月の日付の一群である１月カレンダー２２１および２月の日付の一群である２月カレンダー２２２から構成されている。
【００３７】
同様に、２枚目の葉（２２０）が、３月、４月のカレンダーから構成され、３枚目の葉（２２０）が、５月、６月のカレンダーから構成され、４枚目の葉（２２０）が、７月、８月のカレンダーから構成され、５枚目の葉（２２０）が、９月、１０月のカレンダーから構成され、６枚目の葉（２２０）が、１１月、１２月のカレンダーから構成されている。
この場合であっても、第１実施例と同様の作用効果を得ることができる。
【符号の説明】
【００３８】
１００、  ２００  ・・・  壁掛けカレンダー
１１０、  ２１０  ・・・  ハンガー部（上部）
１１１、  ２１１  ・・・  厚紙
１１２、  ２１２  ・・・  ハンガー縫い目
１２０、  ２２０  ・・・  （カレンダーの）葉
１２０Ａ、２２０Ａ・・・  １枚目の葉
１２１、  ２２１  ・・・  １月カレンダー
１２１ａ、２２１ａ・・・  １月のポケット
１２２、  ２２２  ・・・  ２月カレンダー
１２２ａ、２２２ａ・・・  ２月のポケット
１２３            ・・・  ３月カレンダー
１２３ａ          ・・・  ３月のポケット
１２０Ｂ          ・・・  ２枚目の葉
１２４            ・・・  ４月カレンダー
１２４ａ          ・・・  ４月のポケット
１３０、  ２３０  ・・・  丈方向切り取り線
１４０、  ２４０  ・・・  横幅方向切り取り線
Ｂ                ・・・  本
Ｂ１              ・・・  表表紙
Ｂ２              ・・・  裏表紙
Ｃ                ・・・  月の日付の一群
Ｄ１              ・・・  ポケットの底から横幅方向切り取り線までの距離
Ｄ２              ・・・  所定サイズの本の表表紙の前小口側端から背を介して裏表紙の前小口側端までの距離
Ｐ１              ・・・  ポケットの絵
Ｐ２              ・・・  カレンダー面と反対側の面の絵
Ｓ                ・・・  ポケット縫い目
【図１】
2015116727.tif 000003
【図２】
2015116727.tif 000004
【図３】
2015116727.tif 000005
【図４】
2015116727.tif 000006
【図５】
2015116727.tif 000007
【図６】
2015116727.tif 000008